(57)【要約】【課題】蓋部を開封する操作が容易で、廃棄する時、蓋部材を薄く折り畳んでコンパクトに廃棄することができる包装箱を提供する。【解決手段】筒体１２の開封用破断線８０は、第二の側面板２４の内側を、第二折罫線６６と対向するように横切る第一破断部８０ａと、第三の側面板２２の内側に配置され、第一破断部８０ａの一端と第一折罫線５０の一端とを斜めに結ぶ第二破断部８０ｂと、第四の側面板の内側２６に配置され、第一破断部８０ａの他端と第一折罫線５０の他端とを斜めに結ぶ第三破断部８０ｃとで構成される。第一の解体用折罫線８２は、第三の側面板２２の内側に、第二折罫線６６の一端と第二破断部８０ｂの途中位置とを結ぶように配置され、第二の解体用折罫線８４は、第四の側面板２６の内側に、第二折罫線６６の他端と第三破断部８０ｃの途中位置とを結ぶように配置される。【選択図】図２
0003224242.tif 000002
【実用新案登録請求の範囲】
【請求項１】
四角形の筒体を形成する４つの側面板を有し、前記４つの側面板は、互いに対向する第一及び第二の側面板と、前記第一及び第二の側面板と交差する位置で互いに対向する第三及び第四の側面板とで構成され、前記第一の側面板の端辺に、第一の蓋片が第一折罫線を介して延設され、前記第二の側面板の端辺に、第二の蓋片が第二折罫線を介して延設され、開封前の組み立て状態で、前記第一の蓋片と前記第二の蓋片とが重なってシールエンド型の蓋部が形成される包装箱であって、
前記筒体には、開封用破断線と第一及び第二の解体用折罫線とが設けられ、
前記開封用破断線は、前記第二の側面板の内側を、前記第二折罫線と対向するように横切る第一破断部と、前記第三の側面板の内側に配置され、前記第一破断部の一端と前記第一折罫線の一端とを斜めに結ぶ第二破断部と、前記第四の側面板の内側に配置され、前記第一破断部の他端と前記第一折罫線の他端とを斜めに結ぶ第三破断部とで構成され、
前記第一の解体用折罫線は、前記第三の側面板の内側に、前記第二折罫線の一端と第二破断部の途中位置とを結ぶように配置され、前記第二の解体用折罫線は、前記第四の側面板の内側に、前記第二折罫線の他端と第三破断部の途中位置とを結ぶように配置されていることを特徴とする包装箱。
【請求項２】
前記第三及び第四の側面板の端辺に、サイドフラップが各々延設され、
開封前の組み立て状態で、前記蓋部は、前記第一及び第二の蓋片の中の一方の蓋片と、前記第一及び第二の蓋片の中の他方の蓋片と、前記サイドフラップとが順に重なり、前記サイドフラップの特定部分が、前記一方の蓋片に対向し、前記一方の蓋片が、前記他方の蓋片及び前記サイドフラップの前記特定部分に糊付けされてシールエンド型に形成される請求項１記載の包装箱。
【請求項３】
前記筒体は、前記第二の側面板の内面に重なるように配置された補助内板を有し、前記補助内板の内側には、前記補助内板の蓋部側の端辺の途中の２箇所を内向きに切り込むことによって又は切り欠くことによって、２つの側壁部とその間に位置する舌部とで構成された再封機構が設けられ、
開封された状態で、前記開封用破断線が切り離され、前記第二の側面板が蓋部側領域と筒体側領域とに分離し、再封された状態で、前記蓋部側領域が、前記舌部の内面と前記２つの側壁部の外面との間に差し込まれて係止され、前記蓋部が閉鎖状態に保持される請求項１又は２記載の包装箱。
【請求項４】
前記再封機構の前記舌部は、前記第二の側面板と異なる色に彩色されている請求項３記載の包装箱。
【請求項５】
一枚の箱体形成片によって形成された請求項１乃至４のいずれか記載の包装箱。
【考案の詳細な説明】
【技術分野】
【０００１】
本考案は、シールエンド型の蓋部を備えた包装箱に関する。
【背景技術】
【０００２】
従来、例えば特許文献１に開示されているように、前パネル、後パネル、２つの側パネルで成る筒体と、筒体の一端部を閉鎖する天パネルとを備え、前パネル及び２つの側パネルに、所定の力により切断される切断線が連続形成され、切断線が切り離されて開封されると、後パネルの内側に設けた折罫線がヒンジになって蓋部材（筒体から分離した部分と天パネルとが一体になった部材）が回動可能になる易開封性カートンがあった。この易開封性カートンは、天パネルにカバーパネルが連設され、カバーパネルの先端辺を前パネルの切断線よりも下方に位置するように設けられ、開封後に再封可能になっている。
【先行技術文献】
【特許文献】
【０００３】
【特許文献１】特開２００２−１６６９２９号公報
【考案の概要】
【考案が解決しようとする課題】
【０００４】
例えば、医薬品用の包装箱は、病院や調剤薬局等の医療機関で使用された後、多量に廃棄されることになるので、コンパクトに廃棄できることが求められる。しかし、特許文献１の易開封性カートンは、開封後の蓋部材が有底筒状の立体構造になるので、廃棄する時、薄く折り畳んでコンパクトな状態にするのが難しい。
【０００５】
また、医療機関では、医薬品が、包装箱に入った状態で種類ごとに保管棚に並べて保管されることが多く、薬剤師等の管理担当者は、開封済みの医薬品が無くなってから、次の新しい箱（未開封の箱）を開封しなければならない。したがって、開封済みの箱が残っているのに新しい箱を開封してしまうミスを防止するため、医薬品用の包装箱は、開封済みかどうかを一目で正確に判別できることが求められる。しかし、特許文献１の易開封性カートンは、再封した状態と開封前の状態とを比較すると、カバーパネルの先端部が前パネルの外側にあるか内側に差し込まれているかという違いがあるものの、外観的に大きな差がなく、開封済みの包装箱かどうかを一目で正確に判別することは難しい。
【０００６】
この考案は、上記背景技術に鑑みて成されたものであり、蓋部を開封する操作が容易で、廃棄する時、蓋部材を薄く折り畳んでコンパクトに廃棄することができる包装箱を提供することを目的とする。
【課題を解決するための手段】
【０００７】
本考案は、四角形の筒体を形成する４つの側面板を有し、前記４つの側面板は、互いに対向する第一及び第二の側面板と、前記第一及び第二の側面板と交差する位置で互いに対向する第三及び第四の側面板とで構成され、前記第一の側面板の端辺に、第一の蓋片が第一折罫線を介して延設され、前記第二の側面板の端辺に、第二の蓋片が第二折罫線を介して延設され、開封前の組み立て状態で、前記第一の蓋片と前記第二の蓋片とが重なってシールエンド型の蓋部が形成される包装箱であって、
前記筒体には、開封用破断線と第一及び第二の解体用折罫線とが設けられ、前記開封用破断線は、前記第二の側面板の内側を、前記第二折罫線と対向するように横切る第一破断部と、前記第三の側面板の内側に配置され、前記第一破断部の一端と前記第一折罫線の一端とを斜めに結ぶ第二破断部と、前記第四の側面板の内側に配置され、前記第一破断部の他端と前記第一折罫線の他端とを斜めに結ぶ第三破断部とで構成され、前記第一の解体用折罫線は、前記第三の側面板の内側に、前記第二折罫線の一端と第二破断部の途中位置とを結ぶように配置され、前記第二の解体用折罫線は、前記第四の側面板の内側に、前記第二折罫線の他端と第三破断部の途中位置とを結ぶように配置されている包装箱である。
【０００８】
前記第三及び第四の側面板の端辺に、サイドフラップが各々延設され、開封前の組み立て状態で、前記蓋部は、前記第一及び第二の蓋片の中の一方の蓋片と、前記第一及び第二の蓋片の中の他方の蓋片と、前記サイドフラップとが順に重なり、前記サイドフラップの特定部分が、前記一方の蓋片に対向し、前記一方の蓋片が、前記他方の蓋片及び前記サイドフラップの前記特定部分に糊付けされてシールエンド型に形成される構成にしてもよい。
【０００９】
前記筒体は、前記第二の側面板の内面に重なるように配置された補助内板を有し、前記補助内板の内側には、前記補助内板の蓋部側の端辺の途中の２箇所を内向きに切り込むことによって又は切り欠くことによって、２つの側壁部とその間に位置する舌部とで構成された再封機構が設けられ、開封された状態で、前記開封用破断線が切り離され、前記第二の側面板が蓋部側領域と筒体側領域とに分離し、再封された状態で、前記蓋部側領域が、前記舌部の内面と前記２つの側壁部の外面との間に差し込まれて係止され、前記蓋部が閉鎖状態に保持される構成にすることが好ましい。この場合、前記再封機構の前記舌部は、前記第二の側面板と異なる色に彩色されていることが好ましい。また、この包装箱は、一枚の箱体形成片を組み立てることによって形成される構成にすることが好ましい。
【考案の効果】
【００１０】
本考案の包装箱は、独特な開封用破断線と第一及び第二の解体用折罫線と備えているので、蓋部を開封する操作が容易で、廃棄する時も、蓋部材を簡単に薄く折り畳むことができ、コンパクトな状態で廃棄することができる。
【００１１】
また、独特な再封機構が形成された補助内板を設けることによって、シールエンド型の蓋部に再封機能を付与することができる。しかも、再封された状態と開封前の状態の外観の差が大きいので、開封済みの箱体かどうかを一目で容易に判別することができる。
【図面の簡単な説明】
【００１２】
【図１】本考案の包装箱の一実施形態の、開封前の組み立て状態を示す斜視図である。
【図２】この実施形態の包装箱を展開した箱体形成片を裏面側から見た平面図である。
【図３】この実施形態の包装箱の組み立て工程を順に示す平面図（ａ）、（ｂ）、（ｃ）である。
【図４】この実施形態の包装箱の蓋部を開封した状態を示す斜視図（ａ）、再封した状態を示す斜視図（ｂ）である。
【図５】この実施形態の包装箱の蓋部材が廃棄するために折り畳まれた状態を示す斜視図である。
【考案を実施するための形態】
【００１３】
以下、本考案の包装箱の一実施形態について、図面に基づいて説明する。この実施形態の包装箱１０は、図１に示すように、筒体１２の両端がシールエンド型の蓋部１４及び底部１６で閉鎖された直方体形状の箱体であり、厚紙等で成る一枚の箱体形成片１８を組み立てることによって形成される。
【００１４】
箱体形成片１８は、図２に示すように、互いに平行に連接された４つの側面板２０，２２，２４，２６を有している。側面板２０，２２，２４，２６は、連接している幅方向の長さは同じであり、連接方向の長さは、側面板２０，２４が長くて互いにほぼ等しく、側面板２２，２６が短くて互いにほぼ等しい。４つの側面板２０，２２，２４，２６は、各々折罫線２８，３０，３２で互いに区切られている。以下、側面板２０を第一の側面板２０と称し、側面板２２を第三の側面板２２と称し、側面板２４を第二の側面板２４と称し、側面板２６を第四の側面板２６と称する。
【００１５】
第一の側面板２０の連接方向の端辺には、略四角形の第一の糊付け板３４が延設され、折罫線３６で第一の側面板２０と区切られている。第一の糊付け板３４の連接方向長さは、第三及び第四の側面板２２，２６の連接方向長さとほぼ同じか僅かに短く、折罫線３６から離れるほど幅が少し狭くなっている。
【００１６】
第一の糊付け板３４の連接方向の端辺には、略四角形の補助内板３８が延設され、折罫線４０で第一の糊付け板３４と区切られている。補助内板３８の連接方向長さは、第一及び第二の側面板２０，２４の連接方向長さをほぼ同じか僅かに短く、折罫線４０から離れるほど幅が狭くなっている。補助内板３８の、連接方向に対して直角方向の一端辺は、コの字形に切り欠かれており、この切り欠かれた途中の２箇所を内向きに切り込むことによって、２つの側壁部４２ａとその間に位置する舌部４２ｂとで構成される再封機構４２が設けられている。なお、図２には示していないが、舌部４２ｂの表面側は、第二の側面板２４の表面と異なる色に彩色されている。
【００１７】
補助内板３８の連接方向の端辺には、略長方形の第二の糊付け板４４が延設され、折罫線４６で補助内板３８と区切られている。第二の糊付け板４４の連接方向長さは、第三及び第四の側面板２２，２６の連接方向長さをほぼ同じか僅かに短い。
【００１８】
各側面板の、図２における上側の端辺（再封機構４２が設けられている側の端辺）には、蓋部１４を形成するための部材が延設され、下側の端辺には、底部１６を形成するための部材が延設されている。
【００１９】
第一の側面板２０の上側の端辺には、第一の蓋片４８が延設され、第一折罫線５０で第一の側面板２０と区切られている。第一の蓋片４８の外形は略凸形で、先端両角部がほぼ直角に深く切り欠かれている。凸形の中央部の延出長さは、第三及び第四の側面板２２，２６の連接方向長さの約3/4に設定されている。また、第一の側面板２０の下側の端辺には、略長方形の第一の底片５２が延設され、折罫線５４で第一の側面板２０と区切られている。第一の底片５２の延出長さは、第三及び第四の側面板２２，２６の連接方向長さの約3/4に設定されている。
【００２０】
第三の側面板２２の上側の端辺には、台形状のサイドフラップ５６が延設され、折罫線５８で第三の側面板２２と区切られている。サイドフラップ５６は、延出長さが第一及び第二の側面板２０，２４の連接方向長さの1/2よりも少し短く、内側に、糊付け部５６ａが設けられている。糊付け部５６ａは、第一の蓋片４８と反対側の側端部の略四角形の領域である。また、第三の側面板２２の下側の端辺には、台形状のサイドフラップ６０が延設され、折罫線６２で第三の側面板２２と区切られている。
【００２１】
第二の側面板２４の上側の端辺には、略長方形の第二の蓋片６４が延設され、第二折罫線６６で第二の側面板２４と区切られている。第二の蓋片６４の延出長さは、第三及び第四の側面板２２，２６の連接方向長さとほぼ同じか少し短い。また、第二の側面板２４の下側の端辺には、略長方形の第二の底片６８が延設され、折罫線７０で第二の側面板２４と区切られている。第二の底片６８の延出長さは、第三及び第四の側面板２２，２６の連接方向長さとほぼ同じか少し短い。
【００２２】
第四の側面板２６の上側の端辺には、台形状のサイドフラップ７２が延設され、折罫線７４で第四の側面板２６と区切られている。サイドフラップ７２は、延出長さが第一及び第二の側面板２０，２４の連接方向長さの1/2よりも少し短く、内側に、糊付け部７２ａが設けられている。糊付け部７２ａは、第二の蓋片６４側の側端部の略四角形の領域である。また、第四の側面板２６の下側の端辺には、台形状のサイドフラップ７６が延設され、折罫線７８で第四の側面板２６と区切られている。
【００２３】
さらに、３つの側面板２２，２４，２６の上側の端部には、開封用破断線８０と第一及び第二の解体用折罫線８２，８４とが設けられている。
【００２４】
開封用破断線８０は、第二の側面板２４の内側を、第二折罫線６６と対向するように横切る第一破断部８０ａと、第三の側面板２２の内側に配置され、第一破断部８０ａの一端と第一折罫線５０の一端とを斜めに結ぶ第二破断部８０ｂと、第四の側面板２６の内側に配置され、第一破断部８０ａの他端と折罫線７４の一端（組み立て状態で第一折罫線５０の他端とほぼ同じ位置に配置される一端）とを斜めに結ぶ第三破断部８０ｃとで構成される。そして、第一破断部８０ａは、第二の側面板２４を蓋部側領域２４ａ及び筒部側域２４ｂに区切り、第二破断部８０ｂは、第三の側面板２２を蓋部側領域２２ａ及び筒部側領域２２ｂに区切り、第三破断部８０ｃは、第四の側面板２６を蓋部側領域２６ａ及び筒部側領域２６ｂに区分っている。
【００２５】
また、第一の解体用折罫線８２は、第三の側面板２２の蓋部側領域２２ａの内側に、第二折罫線６６の一端と第二破断部８０ｂの途中位置とを結ぶように配置され、第二の解体用折罫線８４は、第四の側面板２６の蓋部側領域２６ａの内側に、第二折罫線６６の他端と第三破断部８０ｃの途中位置とを結ぶように配置されている。
【００２６】
その他、第一の側面板２６の下側の端部には、折罫線５２の両端から内向きに各々所定長さに亘って解体用破断線８６ａが設けられ、第一の側面板２０の内側に、解体用破断線８６ａの内側先端部を起点とする半円形の解体用破断線８６ｂとが設けられている。そして、折罫線５４の中央部と解体用破断線８６ｂとで囲まれた部分が、包装箱１０を解体する時に指で押し破られる開封部８８となる。
【００２７】
次に、包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００２８】
まず、図３（ａ）に示すように、箱体形成片１８の折罫線４６を正折りして第二の糊付け板４４を補助内板３８に重ねる。そして、第二の糊付け板４４の表面に糊９２を塗布した後、図３（ｂ）に示すように、折罫線３６を正折りして第一及び第二の糊付け板３４，４４を第一及び第三の側面板２０，２２に重ね、第二の糊付け板４４を第三の側面板２２の筒体側領域２２ｂの裏面に糊付けする。さらに、第一の糊付け板３４の表面に糊９４を塗布した後、図３（ｃ）に示すように、折罫線３０を正折りして第二及び第四の側面板２４，２６を補助内板３８及び第一の糊付け板３４に重ね、第一の糊付け板３４を第四の側面板２６の筒体側領域２６ｂの裏面に糊付けする。なお、図３（ｂ）で見える舌部４２ｂの表面側に記したハッチングは、図３（ｃ）で見える第二の側面板２４の表面と色彩が異なることを示している。箱体形成片１８はこの折り畳み状態で包装箱１０の製造工場等から出荷される。
【００２９】
次に、収容物の包装を行う工場等において、箱体形成片１８の折罫線２８，３０，３２，３６を各々９０度に正折りし、４つの側面板２０，２２，２４，２６で成る四角形の筒体１２を形成する。この操作を行うと、ほぼ同時に折罫線４０，４６が９０度に正折りされ、補助内板３８が第二の側面板２４の内面に重なるように配置され、再封機構４２（側壁部４２ａ及び舌部４２ｂ）が蓋部側領域２４ａに対向する。
【００３０】
そして、シールエンド型の底部１６を形成するため、折罫線６２，７８でサイドフラップ６０，７６を各々９０度に正折りし、折罫線５４で第一の底片５２を９０度に正折りし、第一の底片５２の表面に糊を塗布した後、第二の底片６８を９０度に正折りして第一の底片５２に重ね、第二の底片６８の裏面を第一の底片５２に糊付けする。これで、筒体１２の一端部が底部１６で閉鎖されたので、反対側の開放している端部から収容物を入れる。
【００３１】
収容物を入れると、次は、シールエンド型の蓋部１４を形成する。まず、折罫線５８，７４でサイドフラップ５６，７２を各々９０度に正折りし、第一折罫線５０を９０度に正折りして第一の蓋片４８をサイドフラップ５６，７２に重ねる。この状態で、サイドフラップ５６，７２の糊付け部５６ａ，７２ａが、第一の蓋片４８の先端両角部の切り欠きから各々露出するので、第一の蓋片４８及び糊付け部５６ａ，７２ａの表面に１アクションで糊を塗布した後、第二折罫線６６を９０度に正折りして重ね、第二の蓋片６４を糊付け部５６ａ，７２ａ及び第一の蓋片４８に糊付けする。これで、筒体１２の他端部も蓋部１４で閉鎖され、図１に示す組み立て状態になる。
【００３２】
なお、筒体１２の蓋部１４と底部１６の形成順を逆にして、先に蓋部１４を形成した後、収容物を入れて、この後底部１６を形成して包装してもよい。
【００３３】
包装箱１０を開封する時は、第二の側面板２４の蓋部側領域２４ａを軽く押し込んで開封用破断線８０の第一破断部８０ａを破断させ、さらに蓋部側領域２４ａを少し引き上げて第二及び第三破断部８０ｂ，８０ｃを破断させる操作を行う。すると、３つの側面板２２，２４，２６から蓋部側領域２２ａ，２４ａ，２６ａが分離し、蓋部１４と蓋部側領域２２ａ，２４ａ，２６ａとが一体になった立体的な蓋部材９０が形成され、蓋部材９０が、第一折罫線５０を介して第一の側面板２０に連続した状態になる。そして、第一折罫線５０を逆折り方向に屈曲させて蓋部材９０を引き起こすと、図４（ａ）に示すように、筒体１２の一端部を閉鎖していた蓋部１４が開放し、中の収容物を取り出すことができる。
【００３４】
なお、開封した後、蓋部材９０の立体的形状が維持されるようにするためには、第一の蓋片４８（内蓋片）、第二の蓋片６４（外蓋片）及びサイドフラップ５６，７２を一体に固定する必要がある。包装箱１０の場合、第二の蓋片６４（外蓋片）の内面に、第一の蓋片４８（内蓋片）の外面とサイドフラップ５６，７２の外面とを糊付けする構造とし、第一の蓋片４８が独特な凸形状になっているので、糊の塗布を１アクションで行えるという特徴がある。しかし、糊の塗布が２アクションになってもよければ、第二の蓋片６４（外蓋片）の内面に第一の蓋片４８（内蓋片）の外面を糊付けし、第一の蓋片４８（内蓋片）の内面にサイドフラップ５６，７２の外面を糊付けする構造にしてもよい。
【００３５】
包装箱１０を開封した後、再封する時は、屈曲させた第一折罫線５０を延ばすように蓋部材９０を倒し、図４（ｂ）に示すように、蓋部側領域２４ａを舌部４２ｂの内面と２つの側壁部４２ａの外面との間に差し込む。これで、蓋部側領域２４ａが舌部４２ｂ及び２つの側壁部４２ａによって係止され、蓋部１４が閉鎖状態に保持される。
【００３６】
再封された状態では、第二の側面板２４の外側に、第二の側面板２４と色彩が異なる舌部４２ｂが配置されるので、第二の側面板２４の側から見た時の外観が、開封前の状態（図１）とは大きく異なる。したがって、箱体を第二の側面板２４の側から見ることによって、開封済みの箱体かどうかを一目で正確に判別することができる。
【００３７】
包装箱１０を開封した後、廃棄する時は、まず蓋部材９０を解体するため、図５に示すように、第一及び第二の解体用折罫線８２，８４を正折りして蓋部側領域２２ａ，２６ａを各々折り重ね、第二折罫線６６を正折りして蓋部側領域２４ａを蓋部１４に重ねる操作を行う。これで、立体的な蓋部材９０を平坦に折り畳むことができる。
【００３８】
次に、底部１６を解体するため、第一の側面板２０の押圧部８８を軽く押し込んで解体用破断線８６ｂを破断させ、さらに第一及び第二の底片５２，６８を少し引き上げて解体用破断線８６ａを破断させる操作を行う。これで、第一の底片５２及び押圧部８８が第一の側面板２０から分離し、底部１６が開閉可能になるので、第一及び第二の底片５２，６８及びサイドフラップ６０，７６を順に引き起こすと、四角形の筒体１２を平坦に折り畳むことができる。このように、包装箱１０は、蓋部材９０及び筒体１２を簡単に折り畳むことができ、コンパクトに廃棄することができる。
【００３９】
以上説明したように、包装箱１０は、独特な開封用破断線８０と第一及び第二の解体用折罫線８２，８４と備えているので、蓋部１４を開封する操作が容易で、廃棄する時も、蓋部材９０を簡単に薄く折り畳むことができ、コンパクトな状態で廃棄することができる。また、独特な再封機構４２が形成された補助内板３８が設けられ、シールエンド型の蓋部１４に再封機能が付与されている。しかも、再封された状態と開封前の状態の外観の差が大きいので、開封済みの箱体かどうかを一目で容易に判別することができる。
【００４０】
なお、本考案の包装箱は、上記実施形態に限定されるものではない。例えば、上記の包装箱１０は、第一の蓋片４８を内蓋片として使用し、第二の蓋片６４を外蓋片として使用する構成であるが、第一の蓋片４８を第二の蓋片６４の形状に変更して外蓋片として使用し、第二の蓋片６４を第一の蓋片４８の形状に変更して内蓋片として使用する構成にしてもよく、同様の効果を得ることができる。
【００４１】
再封機構４２を構成する側壁部４２ａ及び舌部４２ｂの形状は一例であり、上記と同様の操作で再封可能であれば、自由に変更することができる。また、舌部４２ｂの表面側を、第二の側面板２４の表面側と異なる色に彩色することによって、開封済みの箱体かどうかを一目で容易に判別できるようにしているが、例えば、「開封済み」等の文字を表示して目立つようにしてもよく、同様の効果が得られる。また、補助内板３８は、第一及び第二の糊付け板３４，４４によって筒体１２内に支持されているが、別の方法で支持されるように変更してもよい。あるいは、再封機能が不要であれば、補助内板３８自体を省略することも可能である。
【００４２】
その他、底部の構造は、上記の底部１６の構造に限定されない。例えば、底部を蓋部と同じ構造にしてもよいし、シールエンド型以外の構造にしてもよい。
【符号の説明】
【００４３】
１０  包装箱
１２  筒体
１４  蓋部
１６  底部
１８  箱体形成片
２０  第一の側面板
２２  第三の側面板
２２ａ  蓋部側領域
２２ｂ  筒体側領域
２４  第二の側面板
２４ａ  蓋部側領域
２４ｂ  筒体側領域
２６  第四の側面板
２６ａ  蓋部側領域
２６ｂ  筒体側領域
３８  補助内板
４２  再封機構
４２ａ  側壁部
４２ｂ  舌部
４８  第一の蓋片
５０  第一折罫線
５６，７２  サイドフラップ
５６ａ，７２ａ  糊付け部（特定部分）
６４  第二の蓋片
６６  第二折罫線
８０  開封用破断線
８０ａ  第一破断部
８０ｂ  第二破断部
８０ｃ  第三破断部
８２  第一の解体用折罫線
８４  第二の解体用折罫線
【図１】
0003224242.tif 000003
【図２】
0003224242.tif 000004
【図３】
0003224242.tif 000005
【図４】
0003224242.tif 000006
【図５】
0003224242.tif 000007